(57)【要約】【課題】使用者が番組を視聴している際に、身体情報の測定を適切に促せる画像出力装置を提供することを目的とする。【解決手段】画像出力装置は、番組を示す番組データを出力する出力部と、出力部が番組データを出力している際に、番組データに替えて、若しくは番組データと共に、身体の状態に関する情報である身体情報を測定することを使用者に促す画像データを出力するよう出力部を制御する制御部と、を備える。また、画像出力方法は、番組を示す番組データを出力し、番組データを出力している際に、番組データに替えて、若しくは番組データと共に、身体の状態に関する情報である身体情報を測定することを使用者に促す画像データを出力する。【選択図】図１
2014102672.tif 000002
【特許請求の範囲】
【請求項１】
番組を示す番組データを出力する出力部と、
前記出力部が前記番組データを出力している際に、前記番組データに替えて、若しくは前記番組データと共に、身体の状態に関する情報である身体情報を測定することを使用者に促す画像データを出力するよう前記出力部を制御する制御部と、を備える、
画像出力装置。
【請求項２】
時刻を示すタイマをさらに備え、
前記制御部は、前記出力部が前記番組データを出力している際に、前記タイマが所定時刻を示すのに応じて、前記番組データに替えて、若しくは前記番組データと共に、前記画像データを出力するよう前記出力部を制御する、
請求項１に記載の画像出力装置。
【請求項３】
外部機器から前記身体情報を受信する受信部をさらに備え、
前記所定時刻として、前記身体情報を測定すべき時間帯に複数の時刻が設定されており、
前記制御部は、
前記タイマが前記時間帯に設定されている複数の時刻のうちの何れかの時刻である測定時刻を示した際に、
前記測定時刻が含まれる前記時間帯において、前記受信部が前記身体情報を受信している場合には、前記画像データを出力しないよう前記出力部を制御する一方、
前記測定時刻が含まれる前記時間帯において、前記受信部が前記身体情報を受信していない場合には、前記画像データを出力するよう前記出力部を制御する、
請求項２に記載の画像出力装置。
【請求項４】
外部にデータを送信する送信部をさらに備え、
前記制御部は、
前記タイマが前記時間帯に設定されている複数の時刻のうち最も遅い時刻である最終測定時刻を示した際に、前記画像データを出力するよう前記出力部を制御した場合に、前記出力部が前記画像データを出力した後に所定時間が経過しても前記受信部が前記身体情報を受信しない場合には、前記受信部が前記身体情報を受信していない旨を示すデータを外部に送信するよう前記送信部を制御する、
請求項３に記載の画像出力装置。
【請求項５】
番組を示す番組データを出力し、
前記番組データを出力している際に、前記番組データに替えて、若しくは前記番組データと共に、身体の状態に関する情報である身体情報を測定することを使用者に促す画像データを出力する、
画像出力方法。
【請求項６】
時刻を示し、
前記番組データを出力している際に、所定の時刻を示すのに応じて、前記番組データに替えて、若しくは前記番組データと共に、前記画像データを出力する、
請求項５に記載の画像出力方法。
【請求項７】
外部機器から前記身体情報を受信し、
前記所定時刻として、前記身体情報を測定すべき時間帯に複数の時刻が設定されており、
前記時間帯に設定されている複数の時刻のうちの何れかの時刻である測定時刻を示した際に、
前記測定時刻が含まれる前記時間帯において、前記身体情報を受信している場合には、前記画像データを出力しない一方、
前記測定時刻が含まれる前記時間帯において、前記身体情報を受信していない場合には、前記画像データを出力する、
請求項６に記載の画像出力方法。
【請求項８】
前記時間帯に設定されている複数の時刻のうち最も遅い時刻である最終測定時刻を示した際に、前記画像データを出力した場合に、前記画像データを出力した後に所定時間が経過しても前記身体情報を受信しない場合には、前記身体情報を受信していない旨を示すデータを外部に送信する、
画像出力方法。
【発明の詳細な説明】
【技術分野】
【０００１】
本開示の技術は画像出力装置、及び画像出力方法に関する。
【背景技術】
【０００２】
特許文献１は、医療情報通信システムを開示する。この医療情報通信システムは、患者端末と、医者端末と、患者端末と医者端末との間に設けられたサーバと、から構成されている。患者端末と、医者端末と、サーバとは、ネットワークを介して接続されている。
【０００３】
患者端末は、患者が生体情報を測定すべき時刻となった場合に、文字、画像、音声等により患者に生体情報の測定を促す。サーバは、患者が生体情報を測定すべき時刻に関する情報を記憶している。サーバは、患者端末から患者の生体情報を受信した時刻と、患者が生体情報を測定すべき時刻との差分を算出する。サーバは、算出した差分が大きい場合に、医者端末に対して、患者の生体情報の測定に不備がある旨を通知する。なお、患者端末は、テレビジョンを用いてもよいとされている。
【０００４】
これにより、この医者端末を有する医者は、患者に直接問い合わせることなく、患者による生体情報の測定の不備を把握できる。
【先行技術文献】
【特許文献】
【０００５】
【特許文献１】特開２００２−３６６６５２号公報
【発明の概要】
【発明が解決しようとする課題】
【０００６】
上述したように、上記特許文献１に開示されている医療情報通信システムにおいては、患者端末は、患者が生体情報を測定すべき時刻となった場合に、文字、画像、音声等により患者に生体情報の測定を促す。また、上記特許文献１は、患者端末としてテレビジョンを用いてもよいとしている。
【０００７】
しかしながら、上記特許文献１は、患者が番組を視聴している際に、患者が生体情報を測定すべき時刻となった場合に、どのようにして患者に生体情報の測定を促すかについて開示していない。従って、患者が番組を視聴している際に、患者が生体情報を測定すべきことをどのようにして患者に知らせるかが問題となる。
【０００８】
本開示は、使用者が番組を視聴している際に、身体情報の測定を適切に促せる画像出力装置を提供することを目的とする。
【課題を解決するための手段】
【０００９】
上記課題を解決するために、本開示に係る画像出力装置は、番組を示す番組データを出力する出力部と、出力部が番組データを出力している際に、番組データに替えて、若しくは番組データと共に、身体の状態に関する情報である身体情報を測定することを使用者に促す画像データを出力するよう出力部を制御する制御部と、を備える。
【００１０】
また、本開示に係る画像出力方法は、番組を示す番組データを出力し、番組データを出力している際に、番組データに替えて、若しくは番組データと共に、身体の状態に関する情報である身体情報を測定することを使用者に促す画像データを出力する。
【発明の効果】
【００１１】
本開示によれば、使用者が番組を視聴している際に、身体情報の測定を適切に促せる画像出力装置を提供できる。
【図面の簡単な説明】
【００１２】
【図１】システム全体を示す模式図
【図２】ゲートウェイの電気的構成を示すブロック図
【図３】測定器による身体情報の送信動作を説明するためのフローチャート
【図４】身体情報のサーバへのアップロード動作を説明するためのフローチャート
【図５】身体情報の測定結果を表示する画面の模式図
【図６】番組データのテレビへの出力動作を説明するためのフローチャート
【図７】身体情報に基づく診断結果を表示する画面の模式図
【図８】身体情報に基づく診断結果を表示する画面の模式図
【図９】身体情報の測定を使用者に促す画面の模式図
【図１０】番組データのテレビへの出力動作を説明するためのフローチャート
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を十分に理解するために添付図面および以下の説明を提供するのであって、これらによって特許請求の範囲に記載の主題を限定することを意図するものではない。
【００１５】
１．実施の形態１
以下、図１〜９を用いて、実施の形態１を説明する。
【００１６】
１−１．概要
本実施の形態に係るゲートウェイ２００を含むシステム全体の概要について図１を用いて説明する。図１は、システム全体を示す模式図である。
【００１７】
ゲートウェイ２００は、セットトップボックス３００とＡＶケーブルにより接続されている。セットトップボックス３００は、ケーブルテレビの番組データを受信する。ゲートウェイ２００は、ＡＶケーブルを介して番組データをセットトップボックス３００から受信する。
【００１８】
ゲートウェイ２００は、テレビ１００とＨＤＭＩ（Ｈｉｇｈ Ｄｉｆｉｎｉｔｉｏｎ Ｍｕｌｔｉｍｅｄｉａ Ｉｎｔｅｒｆａｃｅ）ケーブルにより接続されている。ゲートウェイ２００は、セットトップボックス３００から受信した番組データをテレビ１００に出力する。使用者は、テレビ１００に表示された番組を視聴できる。
【００１９】
ゲートウェイ２００は、体重計５００及び血圧計６００と無線接続可能である。具体的には、ゲートウェイ２００は、体重計５００及び血圧計６００とブルートゥース（Ｂｌｕｅｔｏｏｔｈ（登録商標））規格に準拠した通信を行うことで無線接続できる。ブルートゥースとは、近距離無線通信規格の１つである。体重計５００は、人の体重を測定するための装置である。体重計５００は、測定した人の体重を示す体重データを記憶する。体重計５００は、ブルートゥース規格に準拠した通信を行うことができる。血圧計６００は、人の血圧を測るための装置である。血圧計６００は、測定した人の血圧を示す血圧データを記憶する。血圧計６００は、ブルートゥース規格に準拠した通信を行うことができる。ゲートウェイ２００は、体重計５００若しくは血圧計６００と無線接続されている際に、体重計５００若しくは血圧計６００から体重データ若しくは血圧データを受信できる。
【００２０】
ゲートウェイ２００は、体重や血圧といった身体の状態に関する情報である身体情報を測定することを使用者に促す動画像である催促動画像データを記憶している。ゲートウェイ２００は、催促動画像データをテレビ１００に出力する。使用者は、テレビ１００に表示される催促動画像を視聴した場合、身体情報を測定する必要に気付くことができる。
【００２１】
ゲートウェイ２００は、体重計５００若しくは血圧計６００と無線接続されており、体重計５００若しくは血圧計６００に新たな体重データや血圧データが記憶されていた際に、無線接続されている機器から新たな体重データや血圧データを受信する。ゲートウェイ２００は、受信した新たな体重データや血圧データをテレビ１００に送信する。使用者は、テレビ１００に表示された体重や血圧の値を確認できる。また、ゲートウェイ２００は、受信した新たな体重データや血圧データをルータ４００を介してサーバ７００に送信する。サーバ７００は、受信した新たな体重データや血圧データから使用者の健康状態を診断し、診断結果をルータ４００を介してゲートウェイ２００に送信する。ゲートウェイ２００は、受信した診断結果をテレビ１００に送信する。使用者は、テレビ１００に表示された診断結果を確認できる。このようなシステムにより、使用者は、家に居ながらにして自己の健康管理をすることができる。
【００２２】
しかしながら、使用者は、テレビ１００に向かっている際には番組を視聴している場合が多い。従って、患者が番組を視聴している際に、患者が身体情報を測定すべきことをどのようにして患者に知らせるかが問題となる。
【００２３】
本実施の形態にかかるゲートウェイ２００は、番組を示す番組データを出力するＨＤＭＩ端子２２０と、ＨＤＭＩ端子２２０が番組データを出力している際に、番組データに替えて、若しくは番組データと共に、身体の状態に関する情報である身体情報を測定することを使用者に促す画像データを出力するようＨＤＭＩ端子２２０を制御するコントローラ２１５と、を備える。
【００２４】
これにより、ゲートウェイ２００は、使用者が番組を視聴している際に、身体情報の測定を適切に促すことができる。
【００２５】
１−２．電気的構成
次に、ゲートウェイ２００の電気的構成について図２を用いて説明する。図２は、ゲートウェイ２００の電気的構成を示すブロック図である。
【００２６】
ゲートウェイ２００は、ＡＶケーブル接続端子２０５、ブルートゥースモジュール２１０、コントローラ２１５、ＨＤＭＩ端子２２０、無線ＬＡＮモジュール２２５、メモリ２３０、ＨＤＤ２３５、及びタイマ２４０を有する。コントローラ２１５は、ＡＶケーブル接続端子２０５を介してセットトップボックス３００から受信した番組データをテレビ１００に出力する。また、コントローラ２１５は、ブルートゥースモジュール２１０を介して体重計５００若しくは血圧計６００から受信した体重データや血圧データをＨＤＭＩ端子２２０を介してテレビ１００に出力したり、無線ＬＡＮモジュール２２５を介してサーバ７００に送信する。また、コントローラ２１５は、ＨＤＤ２３５に記憶されている催促動画像データをＨＤＭＩ端子２２０を介してテレビ１００に出力する。以下、ゲートウェイ２００の各構成について詳細に説明する。
【００２７】
ＡＶケーブル接続端子２０５は、ＡＶケーブルを接続するための端子である。ゲートウェイ２００は、ＡＶケーブル接続端子２０５を介して外部機器から音声データ及び画像データを受信できる。
【００２８】
ブルートゥースモジュール２１０は、ブルートゥース規格に準拠した通信を行うためのモジュールである。ゲートウェイ２００は、ブルートゥースモジュール２１０を介して、ブルートゥース規格に準拠した外部機器からデータを受信できる。
【００２９】
コントローラ２１５は、機器全体を制御する制御部である。コントローラ２１５は、半導体素子などで実現可能である。コントローラ２１５は、ハードウェアのみで構成してもよいし、ハードウェアとソフトウェアとを組み合わせることにより実現してもよい。コントローラ２１５は、マイコンなどで実現できる。
【００３０】
ＨＤＭＩ端子２２０は、ＨＤＭＩケーブルを接続するための端子である。ＨＤＭＩ端子２２０は、ゲートウェイ２００とテレビ１００等の外部機器とを接続するためのインターフェースとして機能する。
【００３１】
無線ＬＡＮモジュール２２５は、無線ＬＡＮ通信可能な通信モジュールである。無線ＬＡＮモジュール２２５は、無線ＬＡＮ通信の国際標準規格である「ＩＥＥＥ８０２．１１」規格に準拠している。無線ＬＡＮモジュール２２５は、ルータ４００を介して外部機器等とＩＰ（Ｉｎｔｅｒｎｅｔ Ｐｒｏｔｏｃｏｌ）により通信できる。
【００３２】
メモリ２３０は、コントローラ２１５のワークメモリとして機能する。メモリ２３０は、例えば、ＤＲＡＭ、強誘電体メモリなどで実現できる。また、メモリ２３０は、ゲートウェイ２００全体を制御する制御プログラムを記憶している。
【００３３】
ＨＤＤ２３５は、データを記憶する記憶装置である。ＨＤＤ２３５は、使用者に身体の状態を示す情報（体重や血圧等の情報）を測定するように促す催促動画像データを記憶している。
【００３４】
タイマ２４０は、時刻を示すタイマである。コントローラ２１５は、タイマ２４０を参照することで現在時刻を認識できる。
【００３５】
１−３．用語の説明
ＨＤＭＩ端子２２０は、出力部の一例である。出力部としては、例えば、ＡＶケーブル接続端子やＵＳＢ端子を用いてもよい。要するに、出力部は、外部機器に画像データを出力できればどのような構成であってもよい。
【００３６】
コントローラ２１５は、制御部の一例である。タイマ２４０は、タイマの一例である。
【００３７】
ブルートゥースモジュール２１０は、受信部の一例である。受信部としては、例えば、ＷｉＦｉモジュールや、ＮＦＣ（Ｎｅａｒ Ｆｉｅｌｄ Ｃｏｍｍｕｎｉｃａｔｉｏｎ）モジュールを用いてもよい。要するに、受信部は、外部機器から身体情報を受信できればどのような構成であってもよい。
【００３８】
無線ＬＡＮモジュール２２５は、送信部の一例である。送信部としては、例えば、有線ＬＡＮ端子や電話回線接続端子を用いてもよい。要するに、送信部は、ネットワークを介して外部にデータを送信できる構成であればどのような構成であってもよい。
【００３９】
１−４．動作
次に、体重計５００及び／若しくは血圧計６００（以下、測定器と称する）の動作について図３を用いて説明する。また、ゲートウェイ２００の動作について図４〜８を用いて説明する。
【００４０】
１−４−１．測定器による身体情報の送信動作
測定器による身体情報のゲートウェイ２００への送信動作について図３を用いて説明する。図３は、測定器による身体情報のゲートウェイ２００への送信動作を説明するためのフローチャートである。
【００４１】
使用者により測定器の電源がＯＮされると（Ｓ１０）、測定器内のコントローラは、使用者により体重及び／若しくは血圧（以下、身体情報と称する）の測定がされたか否かを判断する（Ｓ１５）。測定されたと判断すると、測定器内のコントローラは、測定結果を測定器内のメモリに記録する。そして、測定器内のコントローラは、ゲートウェイ２００に接続要求を行うように、測定器内のブルートゥースモジュールを制御する（Ｓ２０）。接続要求をゲートウェイ２００に行うように測定器内のブルートゥースモジュールを制御すると、測定器内のコントローラは、ゲートウェイ２００との間でブルートゥース規格に準拠した通信が確立されたかを判断する（Ｓ２５）。
【００４２】
通信が確立されたと判断すると、測定器内のコントローラは、測定された身体情報をゲートウェイ２００に送信するよう測定器内のブルートゥースモジュールを制御する（Ｓ３０）。身体情報の送信が開始されると、測定器内のコントローラは、身体情報の送信が完了したか否かを判断する（Ｓ３５）。
【００４３】
身体情報の送信が完了したと判断すると、測定器内のコントローラは、ゲートウェイ２００に対して接続の解除を要求するよう測定器内のブルートゥースモジュールを制御する（Ｓ４０）。ゲートウェイ２００との接続が解除されると、測定器内のコントローラは、自装置の電源をオフする（Ｓ４５）。
【００４４】
１−４−２．身体情報のサーバへのアップロード動作
ゲートウェイ２００が測定器から受信した身体情報をサーバ７００にアップロードする動作について図４〜７を用いて説明する。図４は、身体情報のサーバへのアップロード動作を説明するためのフローチャートである。図５は、身体情報の測定結果を表示する画面の模式図である。図６は、サーバから受信した診断結果を表示する画面であって、診断結果に問題がなかった場合の画面の模式図である。図７は、サーバから受信した診断結果を表示する画面であって、診断結果に問題があった場合の画面の模式図である。
【００４５】
ゲートウェイ２００は、待機状態において（Ｓ８０）、測定器からブルートゥース規格に準拠した通信の接続要求を受信するまで待機する（Ｓ９０）。接続要求を受信すると、ゲートウェイ２００は、測定器と、ブルートゥース規格に準拠した通信を確立する（Ｓ１００）。通信を確立すると、ゲートウェイ２００は、測定器から身体情報を受信するまで待機する（Ｓ１１０）。
【００４６】
測定器から身体情報を受信すると、コントローラ２１５は、受信した身体情報と、身体情報を受信した時刻を示す時刻情報とを対応付けて、ＨＤＤ２３５に記録する（Ｓ１２０）。また、コントローラ２１５は、受信した身体情報を、ＨＤＭＩ端子２２０を介して、テレビ１００に出力する（Ｓ１２０）。これにより、例えば、テレビ１００は、図５に示すような画面を表示する。図５の例では、ゲートウェイ２００が血圧データを受信した例を示している。
【００４７】
身体情報をテレビ１００に出力すると、コントローラ２１５は、受信した身体情報と身体情報を受信した日付及び時刻を示す時刻情報とを対応付けて、無線ＬＡＮモジュール２２５を介してサーバ７００に送信する（Ｓ１３０）。サーバ７００は、ゲートウェイ２００から送信される身体情報を管理している。サーバ７００は、現在までにゲートウェイ２００から送信された過去の身体情報の推移と、受信した身体情報とを比較することで、受信した身体情報の元となる人の健康状態を診断する。サーバ７００は、診断結果を示す診断結果データを無線ＬＡＮモジュール２２５を介してゲートウェイ２００に送信する。
【００４８】
ステップＳ１３０において、身体情報をサーバ７００に送信すると、コントローラ２１５は、サーバ７００から診断結果データを受信するまで待機する（Ｓ１４０）。サーバ７００から診断結果データを受信すると、コントローラ２１５は、診断結果データをＨＤＭＩ端子２２０を介してテレビ１００に出力する（Ｓ１５０）。例えば、診断結果に特に問題がなかった場合には、テレビ１００は、図６に示すような画面を出力する。診断結果に問題があった場合には、テレビ１００は、図７に示すような画面を出力する。
【００４９】
これにより、ゲートウェイ２００は、使用者の身体情報をサーバ７００にアップロードし、サーバ７００による診断結果を示す診断結果データを受信し、診断結果をテレビ１００に出力できる。
【００５０】
１−４−３．番組データのテレビへの出力動作
次に、ゲートウェイ２００がセットトップボックス３００から受信した番組データをテレビ１００に出力している際の動作について図８、図９を用いて説明する。図８は、番組データのテレビへの出力動作を説明するためのフローチャートである。図９は、使用者に身体情報の測定を促す催促動画像の模式図である。
【００５１】
使用者は、身体情報を測定すべき時間帯毎に複数の時刻をゲートウェイ２００に登録できる。例えば、身体情報を測定すべき時間帯が６：００〜２０：００であるとする。つまり、使用者が身体情報を１日１回、６：００〜２０：００の間に測定すればよい場合にはこのようになる。この場合には、使用者は、６：００〜２０：００を時間帯として、例えば３つの時刻をゲートウェイ２００に登録できる。本実施の形態において、使用者は、身体情報を測定すべき時間帯を６：００〜２０：００と想定しているとする。そして、使用者は、１日のうちの複数の時刻として、７：００、１２：００、１７：００をゲートウェイ２００に登録しているとする。
【００５２】
ゲートウェイ２００は、セットトップボックス３００からセットトップボックス３００が受信したケーブルテレビの番組データを受信すると、受信した番組データのテレビ１００への出力を開始する（Ｓ２００）。受信した番組データのテレビ１００への出力を開始すると、コントローラ２１５は、タイマ２４０を参照し、所定時刻になったか否かを判断する（Ｓ２１０）。具体的には、コントローラ２１５は、使用者により設定された７：００、１２：００、１７：００の何れかの時刻になったか否かを判断する。
【００５３】
所定時刻になったと判断すると、コントローラ２１５は、ＨＤＤ２３５にアクセスし、同日の測定すべき時間帯に測定された身体情報が記憶されているか否かを判断する（Ｓ２２０）。具体的には、コントローラ２１５は、ＨＤＤ２３５に記憶されている最新の身体情報に対応付けられている時刻情報を参照することで、同日の測定すべき時間帯に測定された身体情報が既にあるか否かを判断する。
【００５４】
同日の測定すべき時間帯に測定された身体情報が記憶されていないと判断すると、コントローラ２１５は、ＨＤＤ２３５に記憶されている催促動画像データを読み出し、ＨＤＭＩ端子２２０を介して、テレビ１００に出力する（Ｓ２３０）。ここで、催促動画像データとは、図９に示すような動画像データである。催促動画像データは、身体の状態に関する情報である身体情報を測定することを使用者に促す画像データである。例えば、催促動画像データは、「血圧の測定を行ってください。」という文字画像を含む動画像データと、「血圧の測定を行ってください。」という音声データとから構成されている。なお、本実施の形態において、ゲートウェイ２００は、番組データに替えて、催促動画像データを出力することとした。しかしながら、必ずしもこのような構成には限られない。例えば、番組データを出力している状態で、番組データよりも少し小さなサイズの催促動画像データを同時に出力するような構成であってもよい。つまり、ゲートウェイ２００は、番組データに催促動画像データを重畳して出力するような構成であってもよい。この場合には、ゲートウェイ２００は、番組データの音声をミュートにし、催促動画像データに含まれる音声データを出力するようにしてもよい。
【００５５】
催促動画像データの出力を開始すると、コントローラ２１５は、催促動画像データの出力が完了したか否かを判断する（Ｓ２４０）。催促動画像データの出力が完了したと判断すると、コントローラ２１５は、セットトップボックス３００から受信した番組データの出力を再開する（Ｓ２５０）。
【００５６】
番組データの出力を再開すると、コントローラ２１５は、今回、催促動画像データを出力するに到った所定時刻が、身体情報を測定する時間帯に対して設定された複数の時刻のうちの最終の時刻であるか否かを判断する（Ｓ２６０）。具体的には、コントローラ２１５は、今回、催促動画像データを出力するに到った所定時刻が、１７：００であるか否かを判断する。最終の時刻ではないと判断した場合には、ステップＳ２１０に戻り、コントローラ２１５は、新たな所定時刻をむかえるまで待機する。
【００５７】
一方、最終の時刻であると判断した場合には、コントローラ２１５は、催促動画像データの出力が完了してから所定時間が経過したか否かを判断する（Ｓ２７０）。例えば、コントローラ２１５は、催促動画像データの出力が完了してから３０分が経過したか否かを判断する。
【００５８】
所定時間が経過したと判断すると、コントローラ２１５は、ＨＤＤ２３５にアクセスし、同日の測定すべき時間帯に測定された身体情報が記憶されているか否かを判断する（Ｓ２８０）。同日の測定すべき時間帯に測定された身体情報が記憶されていると判断した場合には、ステップＳ２１０に戻り、コントローラ２１５は、新たな所定時刻をむかえるまで待機する。
【００５９】
一方、同日の測定すべき時間帯に測定された身体情報が記憶されていないと判断した場合には、コントローラ２１５は、身体情報が使用者から受信できない旨を示すメールを無線ＬＡＮモジュール２２５を介して、サーバ７００に送信する。例えば、サーバ７００がメールを受信した場合に、医者や看護士にメールを転送することで、医者や看護士は、使用者が適切に身体情報を測定していないことに気付くことができ、使用者に対して身体情報の測定を促すことができる。
【００６０】
１−５．効果等
このように、本実施の形態に係るゲートウェイ２００は、番組を示す番組データを出力するＨＤＭＩ端子２２０と、ＨＤＭＩ端子２２０が番組データを出力している際に、番組データに替えて、若しくは番組データと共に、身体の状態に関する情報である身体情報を測定することを使用者に促す画像データを出力するようＨＤＭＩ端子２２０を制御するコントローラ２１５と、を備える。
【００６１】
これにより、ゲートウェイ２００は、使用者が番組を視聴している際に、身体情報の測定を適切に促すことができる。
【００６２】
また、本実施の形態に係るゲートウェイ２００は、時刻を示すタイマ２４０をさらに備え、コントローラ２１５は、ＨＤＭＩ端子２２０が番組データを出力している際に、タイマ２４０が所定時刻を示すのに応じて、番組データに替えて、若しくは番組データと共に、画像データを出力するようＨＤＭＩ端子２２０を制御する。
【００６３】
これにより、ゲートウェイ２００は、使用者が番組を視聴している際に、身体情報の測定を適切な時間に促すことができる。
【００６４】
また、本実施の形態に係るゲートウェイ２００は、体重計５００若しくは血圧計６００から身体情報を受信するブルートゥースモジュール２１０をさらに備え、所定時刻として、身体情報を測定すべき時間帯に複数の時刻が設定されており、コントローラ２１５は、タイマ２４０が時間帯に設定されている複数の時刻のうちの何れかの時刻である測定時刻を示した際に、測定時刻が含まれる時間帯において、ブルートゥースモジュール２１０が身体情報を受信している場合には、画像データを出力しないようＨＤＭＩ端子２２０を制御する一方、測定時刻が含まれる時間帯において、ブルートゥースモジュール２１０が身体情報を受信していない場合には、画像データを出力するようＨＤＭＩ端子２２０を制御する。
【００６５】
これにより、使用者が身体情報を測定すべき時間帯において、測定を済ましている場合には、催促動画像データを出力しないようにできる一方、測定を済ましていない場合には、催促動画像データを出力できる。その結果、使用者は、必要な場合のみ、番組の視聴を中断し、身体情報の測定に関する催促を受けることができる。
【００６６】
また、本実施の形態に係るゲートウェイ２００は、外部にデータを送信する無線ＬＡＮモジュール２２５をさらに備え、コントローラ２１５は、タイマ２４０が時間帯に設定されている複数の時刻のうち最も遅い時刻である最終測定時刻を示した際に、画像データを出力するようＨＤＭＩ端子２２０を制御した場合に、ＨＤＭＩ端子２２０が画像データを出力した後に所定時間が経過してもブルートゥースモジュール２１０が身体情報を受信しない場合には、ブルートゥースモジュール２１０が身体情報を受信しない旨を示すデータを外部に送信するよう無線ＬＡＮモジュール２２５を制御する。
【００６７】
これにより、使用者が身体情報を測定すべき時間帯において、測定を済まさなかった場合には、身体情報を受信していない旨を示すメールをサーバ７００に送信できる。その結果、サーバ７００からメールの転送を受け付けた医者等が、使用者の異変に気付くことができる。
【００６８】
２．実施の形態２
以下、図１０を用いて実施の形態２について説明する。実施の形態２と、実施の形態１とは、メモリ２３０に記憶されている自装置の制御プログラムの点で異なっている。ここでは、説明の簡略化のために、各構成に関して実施の形態２と実施の形態１とで同様の符号を用いる。
【００６９】
２−１．番組データのテレビへの出力動作
本実施の形態にかかるゲートウェイ２００における番組データのテレビへの出力動作に関して図１０を用いて説明する。図１０は、番組データのテレビへの出力動作を説明するためのフローチャートである。
【００７０】
ゲートウェイ２００は、セットトップボックス３００からセットトップボックス３００が受信したケーブルテレビの番組データを受信すると、受信した番組データのテレビ１００への出力を開始する（Ｓ３００）。受信した番組データのテレビ１００への出力を開始すると、コントローラ２１５は、タイマ２４０を参照し、所定時刻になったか否かを判断する（Ｓ３１０）。具体的には、コントローラ２１５は、使用者により設定された７：００、１２：００、１７：００の何れかの時刻になったか否かを判断する。なお、本実施の形態においても、実施の形態１と同様、時間帯として６：００〜２０：００を設定し、所定時刻として、７：００、１２：００、１７：００を設定しているとする。
【００７１】
所定時刻になったと判断すると、コントローラ２１５は、ＨＤＤ２３５にアクセスし、同日の測定すべき時間帯に測定された身体情報が記憶されているか否かを判断する（Ｓ３２０）。具体的には、コントローラ２１５は、ＨＤＤ２３５に記憶されている最新の身体情報に対応付けられている時刻情報を参照することで、同日の測定すべき時間帯に測定された身体情報が既にあるか否かを判断する。
【００７２】
同日の測定すべき時間帯に測定された身体情報が記憶されていないと判断すると、コントローラ２１５は、使用者からの操作を受け付けたとしても、対応する動作を実行しない状態へと移行する（Ｓ３３０）。操作を受け付けたとしても、対応する動作をしない状態へと移行すると、コントローラ２１５は、使用者に身体情報の測定を促す静止画像データである催促静止画像データをＨＤＤ２３５から読み出し、ＨＤＭＩ端子２２０を介して、テレビ１００に出力する（Ｓ３４０）。
【００７３】
催促静止画像データを出力すると、コントローラ２１５は、測定器から身体情報を取得するまで待機する（Ｓ３５０）。この間、ゲートウェイ２００は、使用者から操作を受け付けたとしても、受け付けた操作に対応する動作を行わない。つまり、ゲートウェイ２００は、使用者からの操作を無視する。
【００７４】
測定器から身体情報を取得すると、コントローラ２１５は、使用者からの操作を受け付けると、対応する動作を実行する状態へと再度移行する（Ｓ３６０）。
【００７５】
２−２．効果等
このように、本実施の形態にかかるゲートウェイ２００は、所定時刻になっても、身体情報を取得していない場合には、使用者からの操作を受け付けたとしても、対応する動作を実行しない状態に移行し、その後、身体情報を取得することで、使用者からの操作を受け付けた場合に対応する動作を実行する状態に移行する。
【００７６】
これにより、本実施の形態にかかるゲートウェイ２００は、身体情報を取得するまで、使用者の意図通りに動作しない。その結果、使用者は、ゲートウェイ２００を意図通りに操作するために、身体情報を確実にゲートウェイ２００に送信するよう行動する確率が向上する。
【００７７】
３．他の実施の形態
以上のように、本出願において開示する技術の例示として、実施の形態１を説明した。しかしながら、本開示における技術は、これに限定されず、適宜、変更、置き換え、付加、省略などを行った実施の形態にも適用可能である。
【００７８】
そこで、以下、他の実施の形態を例示する。
【００７９】
実施の形態１においては、使用者が身体情報を測定する時間帯を１日とした。しかしながら、必ずしもこのような構成には限られない。例えば、測定する時間帯を７：００〜１２：００と１２：００〜１７：００と設定し、各時間帯における設定時刻を複数設定してもよい。要するに、使用者が身体情報を測定すべき時間帯毎に複数の時刻を設定できるようにすればよい。
【００８０】
また、実施の形態１においては、測定器として体重計５００と血圧計６００とを例示した。しかしながら、必ずしもこのような構成には限られない。例えば、血糖値計や体温計であってもよい。要するに、身体の状態を示す身体情報を測定できる装置であればどのようなものであってもよい。
【００８１】
また、実施の形態１においては、身体の状態に関する情報である身体情報を測定することを使用者に促す画像データとして、催促動画像データを例示した。しかしながら、必ずしもこのような構成には限られない。例えば、身体情報を測定することを使用者に促す文字情報を含む静止画像データであってもよいし、文字情報を含む静止画像データと音声データとから構成されるデータであってもよい。要するに、身体の状態に関する情報である身体情報を測定することを使用者に促す画像データであればどのようなデータであってもよい。
【００８２】
また、実施の形態１においては、最終測定時刻に画像データを出力した後に所定時刻が経過しても身体情報を受信しない場合には、外部のサーバにメールを送信することとした。しかしながら、必ずしもこのような構成には限られない。例えば、最終測定時刻に画像データを出力した後に所定時刻が経過しても身体情報を受信しない場合に、医師や看護士といった外部に電話を自動的に掛け、使用者の異常を示す音声データを送信するような構成であってもよい。要するに、最終測定時刻に画像データを出力した後に所定時刻が経過しても身体情報を受信しない場合には、身体情報を受信していない旨を示すデータを外部に送信するような構成であればよい。また、最終測定時刻に画像データを出力した後に所定時刻が経過しても身体情報を受信しない場合に、使用者からの操作を受け付けたとしても、操作に対応する動作を実行しない状態へと移行してもよい。このようにすれば、テレビに熱中している使用者により適切に身体情報の測定を促すことができる。
【００８３】
以上のように、本開示における技術の例示として、実施の形態を説明した。そのために、添付図面および詳細な説明を提供した。
【００８４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８５】
また、上述の実施の形態は、本開示における技術を例示するためのものであるから、特許請求の範囲またはその均等の範囲において種々の変更、置き換え、付加、省略などを行うことができる。
【産業上の利用可能性】
【００８６】
本開示は、ゲートウェイ、レコーダ、テレビ等の画像出力装置に適用できる。
【符号の説明】
【００８７】
１００    テレビ
２００    ゲートウェイ
２０５    ＡＶケーブル接続端子
２１０    ブルートゥースモジュール
２１５    コントローラ
２２０    ＨＤＭＩ端子
２２５    無線ＬＡＮモジュール
２３０    メモリ
２３５    ＨＤＤ
２４０    タイマ
３００    セットトップボックス
４００    ルータ
５００    体重計
６００    血圧計
７００    サーバ
【図１】
2014102672.tif 000003
【図２】
2014102672.tif 000004
【図３】
2014102672.tif 000005
【図４】
2014102672.tif 000006
【図５】
2014102672.tif 000007
【図６】
2014102672.tif 000008
【図７】
2014102672.tif 000009
【図８】
2014102672.tif 000010
【図９】
2014102672.tif 000011
【図１０】
2014102672.tif 000012